(57)【特許請求の範囲】
【請求項１】
操作ボタンと、
棒磁石からなる被検出部材と、
磁気遮蔽部材と、
前記操作ボタンの操作により前記磁気遮蔽部材が変位したときの磁界の変化に応答して前記操作ボタンの操作を検出するリードスイッチからなる検出手段と、
を備え、
磁気遮蔽部材は、上下動可能に設けた磁性材料からなる板状のものからなり、
前記操作ボタンを押す操作の有無により、前記磁気遮蔽部材が、棒磁石と前記検出手段との間に位置したり位置しなくなるように構成することで、前記検出手段が導通したり、導通しなくなるように構成したことを特徴とする自動販売機用ボタン装置。
【請求項２】
操作ボタンと、
棒磁石からなる被検出部材と、
磁気遮蔽部材と、
前記操作ボタンの操作により前記磁気遮蔽部材が変位したときの磁界の変化に応答して前記操作ボタンの操作を検出するリードスイッチからなる検出手段と、
を備え、
磁気遮蔽部材は、磁性材料からなる樋状に形成し、
前記磁気遮蔽部材が、操作ボタンを押す操作の有無により回動し、棒磁石と検出手段との間に位置したり、位置しなくなるように構成することで、前記検出手段が導通したり、導通しなくなるように構成したことを特徴とする自動販売機用ボタン装置。
【請求項３】
請求項１または２に記載の自動販売機用ボタン装置の操作ボタンが商品を選択するボタンとして商品を収納する筐体の前部に設置された前面パネルに設置され、前記前面パネルにより覆われた前記筐体の前部に検出手段を備えた基板が設置されたことを特徴とする自動販売機。
【請求項４】
請求項１または２に記載の自動販売機用ボタン装置の操作ボタンが商品を選択するボタンとして商品を収納する筐体の前部に設置された前面パネルに設置され、前記前面パネルにより覆われた前記筐体の前部に商品サンプルを載置するサンプル台が設置され、前記サンプル台の前部に検出手段を備えた基板が設置されたことを特徴とする自動販売機。
【請求項５】
サンプル台の下に照明手段が設置され、基板に設けた表示部をその背面側から前記照明手段が透過光により照明することを特徴とする請求項４記載の自動販売機。
【発明の詳細な説明】
【０００１】
【発明の属する技術分野】
本発明は、商品購入時に操作する自動販売機用のボタン装置と、それを備えた自動販売機に関するものである。
【０００２】
【従来の技術】
この種のボタン装置としては、自動販売機の前面パネル２０１の前面側に設置する操作ボタン２０と、その背面側に設置する基板５０とを備えた、図２２に示した構成のボタン装置が、例えば実開平４−１０１１７８号に提案されている。
【０００３】
図２２に示した構成のボタン装置においては、操作ボタン２０の背面側凹部に棒磁石２２が設けられており、操作ボタン２０が図面右方向に押されると、棒磁石２２が基板５０に接近し、基板５０に設けたリードスイッチ５２が閉路・導通し、操作ボタン２０が操作されたことが検知されるようになっている。
【０００４】
上記構成の従来のボタン装置においては、操作ボタン２０と棒磁石２２を前面パネル２０１の前方に配置した構造であったので、操作ボタン２０が前面パネル２０１から前方に大きく出っ張り、操作ボタン２０の部分の清掃がし難い、デザイン上の制約が大きい、などと云った問題点があった。
【０００５】
また、操作ボタン２０に基板５０を接近させて設置してあったため、操作ボタン２０の部分が壊されたときなどにはボタン装置の高価な電気回路部分も同時に破損し、修理に手間とコストの両方が掛かると云った問題点もあった。
【０００６】
【発明が解決しようとする課題】
したがって、清掃し易くすると共にデザイン上もすっきりとし、且つ、操作ボタンの付近を壊されることがあっても、プラスチック成型された比較的廉価な操作ボタンだけの破損ですみ、複雑・高価で壊されると修理に手間取ることになる電気回路部分は損傷することのない構造のボタン装置と、それを使用した装置、例えば自動販売機を提供する必要があり、それが解決すべき課題となっていた。
【０００７】
【課題を解決するための手段】
本発明は上記従来技術の課題を解決するため、操作ボタンと、棒磁石からなる被検出部材と、磁気遮蔽部材と、前記操作ボタンの操作により前記磁気遮蔽部材が変位したときの磁界の変化に応答して前記操作ボタンの操作を検出するリードスイッチからなる検出手段と、を備え、磁気遮蔽部材は、上下動可能に設けた磁性材料からなる板状のものからなり、前記操作ボタンを押す操作の有無により、前記磁気遮蔽部材が、棒磁石と前記検出手段との間に位置したり位置しなくなるように構成することで、前記検出手段が導通したり、導通しなくなるように構成したことを特徴とする第１の構成の自動販売機用ボタン装置と、
【０００８】
操作ボタンと、棒磁石からなる被検出部材と、磁気遮蔽部材と、前記操作ボタンの操作により前記磁気遮蔽部材が変位したときの磁界の変化に応答して前記操作ボタンの操作を検出するリードスイッチからなる検出手段と、を備え、磁気遮蔽部材は、磁性材料からなる樋状に形成し、前記磁気遮蔽部材が、操作ボタンを押す操作の有無により回動し、棒磁石と検出手段との間に位置したり、位置しなくなるように構成することで、前記検出手段が導通したり、導通しなくなるように構成したことを特徴とする第２の構成の自動販売機用ボタン装置と、
【０００９】
前記第１または第２の構成の自動販売機用ボタン装置の操作ボタンが商品を選択するボタンとして商品を収納する筐体の前部に設置された前面パネルに設置され、前記前面パネルにより覆われた前記筐体の前部に検出手段を備えた基板が設置されたことを特徴とする第１の構成の自動販売機と、
【００１０】
前記第１または第２の構成の自動販売機用ボタン装置の操作ボタンが商品を選択するボタンとして商品を収納する筐体の前部に設置された前面パネルに設置され、前記前面パネルにより覆われた前記筐体の前部に商品サンプルを載置するサンプル台が設置され、前記サンプル台の前部に検出手段を備えた基板が設置されたことを特徴とする第２の構成の自動販売機と、
【００１１】
前記第２の構成の自動販売機において、サンプル台の下に照明手段が設置され、基板に設けた表示部をその背面側から前記照明手段が透過光により照明することを特徴とする第３の構成の自動販売機と、を提供するものである。
【００１２】
【発明の実施の形態】
本発明の実施形態を、図面に基づいて説明する。本発明の自動販売機用ボタン装置（以下、単にボタン装置と記す）１００は、例えば自動販売機２００の透明な前面パネル２０１に取着される操作ボタン本体部１０と、前面パネル２０１および操作ボタン本体部１０の背面側（図面右側、以下同じ）に設置される基板５０とを備えて構成される。
【００１３】
操作ボタン本体部１０は、図２〜図４に示したように、前面パネル２０１にその前方（図面左側、以下同じ）から取着される表部材１１と、その表部材１１の背面側と係合して前面パネル２０１の背面に設置される裏部材１２とからなる。
【００１４】
すなわち、表部材１１は前面パネル２０１に開設されたボタン取付穴２０２に挿入可能な筒状部１３を備え、その筒状部１３の略中間部分の外周側に突条１４、後端部の内周側に突条１５が設けられ、筒状部１３の前端部より膨出した張出部１６と突条１４とで前面パネル２０１のボタン取付穴２０２を囲繞形成している開口端部を挟持して前面パネル２０１に表部材１１が固定され、その表部材１１の突条１５によって裏部材１２の張出部１７が抱え込まれて裏部材１２が表部材１１の背面側に取着され、それにより裏部材１２が前面パネル２０１の背面側に設置される構成となっている。
【００１５】
なお、表部材１１の中央部分には穴１８が開設され、その穴１８に遊貫される円筒部１９を備えた操作ボタン２０が、図面左右方向に移動可能に設けられている。そして、円筒部１９には図５（Ａ）に示したように後端部から前方に向かってそれぞれ１／４周に渡る螺旋状の一対のスリット２１が設けられている。また、１８Ａは、筒状部１３の前端内側と操作ボタン２０の背面側とに取り付けられているフレキシブルな耐水性の薄いシール部材である。
【００１６】
一方の裏部材１２には、後端部に被検出部材としての棒磁石２２を備えた棒状可動部材２３が設けられている。棒状可動部材２３は背面板２４に開設された穴２５に、棒磁石２２を背面板２４の背面側に配して回転自在に、且つ、前後方向（図面左右方向、以下同じ）に移動することがないように設置され、その棒状可動部材２３の前側部分には表部材１１の円筒部１９に設けた一対の螺旋状のスリット２１に遊嵌可能な一対の突起２６と、前後方向に可動なばね止め２７とが前方への抜け落ち防止手段（図示せず）を備えて設置されている。そして、背面板２４とばね止め２７との間にコイルスプリング２８が設置されて、ばね止め２７を前方の図示しない抜け落ち防止手段の方に押し出すように付勢している。
【００１７】
なお、前記した張出部１７は、背面板２４の外周部から前方に延設された筒状部２９の前端に取着され、裏部材１２を表部材１１に組付けるための機能と、前記シール部材１８Ａの外周部を固定する機能を持っている。
【００１８】
そして、ボタン装置１００においては、図３、図４に示したように、操作ボタン２０に図面右向きの力が作用していないときには、裏部材１２のコイルスプリング２８により前方に付勢され、前方に移動しているばね止め２７が円筒部１９の後端部に当接して操作ボタン２０を図面左方向に移動させると共に、棒状可動部材２３に設けた一対の突起２６がスリット２１の後端側に遊嵌され、操作ボタン２０の操作面２０ａが指で押されて操作ボタン２０に図面右向きの力が作用すると、円筒部１９の後端部がばね止め２７を図面右方向に押すのでコイルスプリング２８が縮退し、操作ボタン２０が図面右方向に移動する。
【００１９】
その際、操作ボタン２０の円筒部１９には１／４周に渡る螺旋状の一対のスリット２１があり、そのスリット２１に前後方向に移動できないように設置されている棒状可動部材２３に設けた一対の突起２６が遊嵌されているので、スリット２１に遊嵌されている突起２６が螺旋状のスリット２１に案内されて回動し、操作ボタン２０が図面右側に完全に押し込まれた状態では突起２６がスリット２１の図面左端の部分に位置し、それにより棒状可動部材２３、すなわち棒磁石２２も丁度９０度だけ回動するようになっている。
【００２０】
なお、表部材１１は、図７に示したように細長く形成し、その長手方向に複数の操作ボタン２０を列設し、そのように形成した表部材１１を自動販売機２００の前面パネル２０１に取着するようにしても良い（裏部材１２も表部材１１と同様に細長くすることができる。）この場合、表部材１１に列設した複数の操作ボタン２０に対応して複数のリードスイッチ５２が列設された１枚の基板５０が、表部材１１と裏部材１２とに対応して前面パネル２０１の背面側に設置される。
【００２１】
基板５０は、例えば図１に示したように電気絶縁性樹脂からなる板状部材５１と、その板状部材５１の上に設けられた検出手段としての複数のリードスイッチ５２と、価格などを表示する複数の表示部（以下、価格表示部と云う）５３と、例えばホット／コールドなどの区分表示が可能な複数の商品情報表示部５４と、複数の透明部（開口であっても良い）５５とを備えており、自動販売機２００の前側部分に設置されている商品サンプル２１０を載置するサンプル台２１１の前面フレームなどに固定されて、前面パネル２０１に取着する複数の操作ボタン本体部１０（具体的には複数の操作ボタン２０）に対応可能となっている。
【００２２】
図１に示したボタン装置１００の価格表示部５３においては、対応する部位に設けられた操作ボタン２０を操作して購入することのできる商品の価格が、ＬＥＤ、液晶などにより表示できるようになっている。
【００２３】
サンプル台２１１の内側には照明手段としてのライト２１２が設けられ、光が透過可能に設置された商品サンプル２１０を内側から照らすと共に、透明部５５の前方の商品情報表示部５４もその部分を通過するライト２１２の光で照らせるようになっている。
【００２４】
なお、価格表示部５３と透明部５５とは、前面パネル２０１の前方から見て、操作ボタン本体部１０によって隠されることのない位置、すなわち操作ボタン本体部１０と対向しない部分に設けられ、商品情報表示部５４はそのように設けられた透明部５５の前方に配置されている。そのため、サンプル台２１１の前面板部材にも透明部２１３が設けられて、前面パネル２０１の前方から基板５０の価格表示部５３、商品情報表示部５４が透視できるようになっている。
【００２５】
上記のように操作ボタン２０を備えた操作ボタン本体部１０と、価格表示部５３および商品情報表示部５４を備えた基板５０とを別部材とし、さらに操作ボタン本体部１０と、価格表示部５３および商品情報表示部５４とは対向しない位置に設けてあるので、操作ボタン本体部１０も、価格表示部５３および商品情報表示部５４もそれぞれ制約されることなく自由に作れる。そのため、製造上の自由度が大きく、それぞれに斬新なデザインを採用して、他のボタン装置との差別化を図ることが可能になる。また、リードスイッチ５２、価格表示部５３などに電力や制御信号を供給する図示しないハーネスを、板状部材５１やサンプル台２１１の前面パネルなどの後方に配して、前面パネル２０１の前方からは見えないようにすることもできる。
【００２６】
そして、操作ボタン本体部１０の棒磁石２２と基板５０のリードスイッチ５２とは、例えば図３に示したように操作ボタン２０が図面右方向に押されていないときにはリードスイッチ５２は導通せず、例えば図４に示したように操作ボタン２０が図面右方向に押されて棒磁石２２が９０度回動したときにリードスイッチ５２が導通して電流が流れ、スイッチが動作して自動販売機２００に設けた図示しない商品の販売機構が動作するように設置される。
【００２７】
すなわち、図６（Ｂ）に示したように、棒磁石２２のＮ、Ｓ極の中間部と、リードスイッチ５２の接点部５２Ｃとが対向し、且つ、棒磁石２２の軸方向とリードスイッチ５２のリード線方向とを同一平面上で平行に接近して配設すると、磁性材料からなるリードスイッチ５２のリード線５２Ａの棒磁石２２のＮ極に近い部分はＳ極になり、その接点部５２Ｃ側はＮ極になり、他方のリード線５２Ｂのリードスイッチ５２のＳ極に近い部分はＮ極になり、その接点部５２Ｃ側はＳ極になるので、リード線５２Ａと５２Ｂとは接点部５２Ｃの部分で互いに引き合い、導通する。
【００２８】
しかし、棒磁石２２またはリードスイッチ５２の何れか一方が９０度回転して図６（Ａ）のような配置になると、棒磁石２２のＮ極とＳ極の両方がリードスイッチ５２の接点部５２Ｃと等距離になるので、リード線５２Ａの接点部５２Ｃ側もリード線５２Ｂの接点部５２Ｃ側も明瞭には分極せず、したがってリード線５２Ａと５２Ｂとは接点部５２Ｃの部分で互いに引き合うことがなく、導通することがない。
【００２９】
なお、リードスイッチ５２は操作ボタン２０が図３に示したように図面右方向に押されていないときに導通し、図４に示したように図面右方向に押されて棒磁石２２が９０度回動したときに導通しなくなるように設置し、リードスイッチ５２の導通がなくなったときに自動販売機２００に設けた図示しない商品の販売機構が動作するように構成されても良い。
【００３０】
被検出手段としては、例えば図９（Ｂ）に示したように、棒磁石２２のＮ極、Ｓ極に接近させて一対のＬ字状磁性部材３０を対称に設けると共に、リードスイッチ５２が導通するようにリードスイッチ５２と一対のＬ字状磁性部材３０の他端とを接近させて設置し、且つ、操作ボタン２０を押す操作の有無により棒磁石２２が例えば上下方向に移動して一対のＬ字状磁性部材３０の間に位置したり、位置しなくなるようにし、それによりリードスイッチ５２が導通したり、導通しなくなるように構成することもできる。
【００３１】
被検出手段としては、リードスイッチ５２が導通するように棒磁石２２とリードスイッチ５２とを例えば図１０（Ｂ）に示したように接近させて設ける共に、操作ボタン２０を押す操作の有無により、例えば上下動可能に設けた磁性材料からなる板状の磁気遮蔽部材３２が棒磁石２２とリードスイッチ５２との間に位置したり、位置しなくなるようにし、それによりリードスイッチ５２が導通したり、導通しなくなるように検出手段と被検出部材とを構成することもできる。
【００３２】
磁気遮蔽部材３２は、例えば図１１に示したように樋状に設け、そのように形成した磁気遮蔽部材３２が、操作ボタン２０を押す操作の有無により回動して、棒磁石２２とリードスイッチ５２との間に位置したり、位置しなくなるようにし、それによりリードスイッチ５２が導通したり、導通しなくなるように検出手段と被検出部材とを構成することもできる。
【００３３】
さらに、図１２に示したように、リードスイッチ５２に代えて発光手段３３と受光手段３４とを板状部材５１の上に適宜の間隔で設けると共に、発光手段３３から出た光を受光手段３４に向かわせる光路変更手段３５を発光手段３３、受光手段３４の前方に例えば回動可能に設け、且つ、その光路変更手段３５が操作ボタン２０の操作により回動して、発光手段３３から出た光が受光手段３４に到達したり、到達しないように構成して検出手段と被検出部材とすることもできる。
【００３４】
上記光路変更手段３５は、集光手段、散光手段、プリズム、光ファイバーなどを組み合わせて形成することができる。
【００３５】
また、光路変更手段３５は、例えば図１３に示したように、反射面３６が変形可能に設けると共に、操作ボタン２０の操作によりその反射面３６が変形し、発光手段３３から出た光が受光手段３４に到達したり、到達しないようにして検出手段と被検出部材とすることもできる（反射面３６で反射した発光手段３３の光が受光手段３４に至らないようにするためには、発光手段３３を反射面３６の焦点に設けることで可能。一方、発光手段３３から出た光は、反射面３６が凸面に変化すると、反射面３６で広い範囲に反射されるので、その前方（図面右側）に位置する受光手段３４にも光は到達する。）
【００３６】
なお、被検出部材に棒磁石２２などを使用したときには、検出手段としてはリードスイッチ５２に代えてそれ自体は従来周知のホール効果を利用したホール素子（ホールＩＣ）、磁気抵抗素子（ＭＲ素子）を使用することも可能である。
【００３７】
その際、自動販売機２００の前面パネル２０１は線膨張率が鉄などの金属に比べて大きく、また変形もし易い樹脂からなるので、棒磁石２２などの被検出部材と、検出手段として使用するホール素子、磁気抵抗素子などとの距離は変動し易く、したがって検出手段のホール素子、磁気抵抗素子などが検出する値も季節、設置部の凹凸、販売するために保管している商品の量（重量）などによって大きく変動することがある。
【００３８】
そのため、例えば図１４に示したように、磁気抵抗素子３７に直流増幅器３８を接続し、その直流増幅器３８で増幅した電圧をＡ／Ｄ変換入力装置付きのマイクロコンピューター３９で処理可能に接続して、例えば自動販売機２００の前面パネル２０１の開閉があったときには、前面パネル２０１が閉められた数秒後（閉めたときの振動の影響を回避するため、数秒後の測定が好ましい。また、前面パネル２０１の開閉はドアスイッチＳＷにより確認される）の操作ボタン２０が操作されていないときの電圧を検出して、動作電圧を補正することが好ましい。
【００３９】
一例を挙げて説明すると、操作ボタン２０が操作されていないときの磁気抵抗素子３７の出力電圧は０Ｖが望ましいが、棒磁石２２の影響があるため０Ｖにはならず、例えば５ｍＶであり、操作ボタン２０が操作されたときの磁気抵抗素子３７の出力電圧が例えば２５ｍＶであったときには、マイクロコンピューター３９は中間値を取って１５ｍＶをしきい値としているが、前面パネル２０１が閉められた数秒後で操作ボタン２０が操作されていないときの磁気抵抗素子３７の出力電圧が１５ｍＶ、操作ボタン２０が操作されたときの磁気抵抗素子３７の出力電圧が例えば３５ｍＶになるときには、操作ボタン２０が操作されていないときでも磁気抵抗素子３７の出力電圧はしきい値の１５ｍＶを示しており、補正をしないと誤動作することになる。
【００４０】
そのため、前面パネル２０１が閉められた数秒後で操作ボタン２０が操作されていないときの磁気抵抗素子３７の出力電圧が１５ｍＶであったときには、１０ｍＶ高くなっているので、しきい値を２５ｍＶ（１５ｍＶ＋１０ｍＶ）に補正する。
【００４１】
なお、この種の補正は定期的に行っても良いし、自動販売機２００に設けた温度検出手段が設定温度（例えば２０℃）から所定温度（例えば１０℃）ずれる度に行うようにしても良い。また、しきい値は補正せず、磁気抵抗素子３７の出力電圧を補正して、所定のしきい値と比較するようにしても良い。
【００４２】
このため、気温、設置部の凹凸、保管商品の量（重量）などが大きく変動することがあっても、ボタン装置１００は誤動作することなく正常に動作する。
【００４３】
なお、基板５０の商品情報表示部５４は、例えば図１５（Ａ）に示したように、所定の大きさの開口５６が所定の間隔に設けられた不透明な素材からなる窓部材５７を前側に配し、その背面側に図面左側から所定の間隔で印刷などによりＣＯＬＤ、ＨＯＴと交互に表示され、図面右端に設けたギヤモータ５８により図面左右方向に移動可能に可動印刷部材５９が配置され、さらにその背面側で図面左端の開口５６に対向する部分に印刷などによりＣＯＬＤと表示された固定表示部材６０が設置されている。
【００４４】
なお、図１５において６１はギヤモータ５８の回転軸に固定された樹脂製の円板、６２はその円板６１と一体成形されて円板６１の片面に偏心して突出形成されている先端部が鏃状に形成され、且つ、軸方向に２分割されているスナップ、６３はスナップ６２の鏃部が差し込まれた長穴６４を備えたＴ字状の樹脂製のクランク部材、６５はクランク部材６３の片面にクランク部材６３と一体に成形されたスナップであり、そのスナップ６５が可動印刷部材５９の一端に設けた図示しない穴に差し込まれて互いに連結されている。
【００４５】
したがって、固定表示部材６０のＣＯＬＤの表示と、可動印刷部材５９のＣＯＬＤ、ＨＯＴの表示は、図１５（Ｂ）に示したようにギヤモータ５８を駆動してその回転軸に取り付けた円板６１のスナップ６２の部分を図面右側に移動させると、可動印刷部材５９も図面右側に移動し、固定表示部材６０のＣＯＬＤの表示が窓部材５７の図面左端の開口５６から見え、可動印刷部材５９のＣＯＬＤの表示が窓部材５７の他の開口５６から見え、図１５（Ｃ）に示したようにギヤモータ５８を駆動してその回転軸に取り付けた円板６１のスナップ６２の部分を図面左側に移動させると、可動印刷部材５９も図面左側に移動し、固定表示部材６０のＣＯＬＤの表示は可動印刷部材５９の図面左側のＨＯＴの表示部分で覆われ、窓部材５７の開口５６からは可動印刷部材５９のＨＯＴの表示だけが見える。
【００４６】
このため、冷却して販売していた商品を加熱して販売する商品に入れ替えたときなどに、商品情報表示部５４の表示を変更する必要があるが、ボタン装置１００が前面パネル２０１に複数段に渡って設けられていても、スイッチ操作一つでギヤモータ５８が操作できるように構成しておくことでその変更が容易に行える。
【００４７】
また、ある商品を加熱して販売するときと、冷却して販売するときとを時刻や気温によって自動的に切り換えたり、あるいは通信手段を介して販売センターなどと連絡可能にしたときには、翌日の気温の予報を受信して夜間に自動的に切り換えたり、販売センターなどからの適宜の指示により切り換えることも可能になる。
【００４８】
また、可動印刷部材５９とクランク部材６３とをスナップ６５を介して連結するようにしたので、両者の連結も、分離も簡単に行える。したがって、廉価な装置を希望する顧客にはギヤモータ５８を設けず、可動印刷部材５９を手動で動かしてその表示内容を変更するものとして提供することもできる。さらに、端部側に固定表示部材６０を設けたので、表示を切り換えるために可動印刷部材５９を図面の左右方向に移動させても、その端部が自動販売機２００のパネルやフレームにぶつかることがない。
【００４９】
なお、商品情報表示部５４は、ギヤモータ５８と可動印刷部材５９の部分を例えば図１６に示したように、すなわちギヤモータ５８を図面の左右両側に設け、それぞれのギヤモータ５８によって左右に所定距離だけ動かすことができ、その表側に所定の間隔でＣＯＬＤ、ＨＯＴ（図面には頭文字のみを表示）が交互に印刷された可動印刷部材５９を取り付け、図１６（Ｂ）に示したように両方の可動印刷部材５９を図面右側に移動させたときには、図１５で説明した窓部材５７の開口５６からＣＯＬＤの表示が見え、図１６（Ｃ）に示したように両方の可動印刷部材５９を図面左側に移動させたときには、窓部材５７の開口５６からＨＯＴの表示が見え、図１６（Ｄ）に示したように二つの可動印刷部材５９が離れる方向に移動させたときには、図面左側の可動印刷部材５９ではＨＯＴの表示が窓部材５７の開口５６から見え、図面右側の可動印刷部材５９ではＣＯＬＤの表示が窓部材５７の開口５６から見えるようにすることも可能である。
【００５０】
また、サンプル台２１１に設置されている商品サンプル２１０が無断で取り替えられたときには、その商品に対応するボタン装置１００の操作ボタン２０が操作されても、その購入操作が行われたか否かの検出がされないようにして、新しく設置された商品サンプルに対応する商品の販売動作が停止されるように構成することも可能である。
【００５１】
そのためには、サンプル台２１１に設置しておく商品サンプル２１０の底部に所定の第１のコイル７０を取り付け（図１、図１７参照）、その第１のコイル７０に接近させて第２のコイル７１を基板５０の板状部材５１に設置し、さらに図１８に示したように、第１のコイル７０はコンデンサとで吸収回路７２を形成し、第２のコイル７１は増幅器とコンデンサとで発振回路７３を形成する。
【００５２】
そして、バッファ回路７４、整流手段７５、コンパレータ７６などを接続して、発振回路７３での発振レベルにより販売停止信号を出力するように構成する。
【００５３】
例えば、吸収回路７２は、第１のコイル７０とコンデンサとで定まる共振周波数を発振回路７３の発振周波数と同一にしておくことにより、第１のコイル７０と第２のコイル７１とが接近すると、発振回路７３の発振エネルギーは第２のコイル７１から第１のコイル７０に与えられるが、吸収回路７２は共振してインピーダンスがゼロに近くなっているため、全エネルギーが吸収回路７２に吸収されて発振が停止してしまうので、Ａの部分に現われていた発振周波数の信号はなくなり、Ｂ、Ｃの部分にも信号が表れなくなる。
【００５４】
このため、コンパレータ７６が所定の電圧を出力したときには、第１のコイル７０と第２のコイル７１とが接近していない、換言すると所定の商品サンプル２１０がサンプル台２１１から取り外されているので、そのときにはその商品に対応するボタン装置１００の操作ボタン２０が操作されても、その購入操作が行われたか否かの検出がされないようにして、サンプル台２１１に現在設置されている商品サンプル２１０に対応する商品の販売動作が停止されるように、自動販売機２００の図示しない販売機構を構成することが可能である。なお、発振回路７３の発振振幅が所定の幅より小さくなったときに、上記のように動作させる構成とすることも可能である。
【００５５】
このように構成することにより、特定の商品を販売する目的で店頭に設置させてもらった自動販売機２００で、自動販売機２００の貸主に無断で勝手に販売商品が取り替えられると云った不都合が解消される。
【００５６】
なお、本発明は上記実施形態に限定されるものではないので、特許請求の範囲に記載の趣旨から逸脱しない範囲で各種の変形実施が可能である。
【００５７】
例えば、コイルスプリング２８に代えて、図１９に示したようなゴム状弾性体２８Ａを使用することもできる。
【００５８】
また、商品情報表示部５４は、図２０に示したように、回動可能に軸支された可動印刷部材５９Ａに印刷などにより所用の表示（例えばＨＯＴ、ＣＯＬＤ）を行い、機械的（ギヤ駆動、ベルト駆動）または手動により表示を切り換えるようにしても良い。なお、この商品情報表示部５４は必ずしも設ける必要はない。
【００５９】
また、図２１に示したように、棒磁石２２を覆う非磁性体からなるカバー部材４０を着脱可能に裏部材１２に取り付けることもできる。このようなカバー部材４０を取り付けることにより、棒磁石２２に鉄粉などの磁性体粉が付着するのを防止することができる。
【００６０】
また、図２〜図４に示した構成の操作ボタン本体部１０においては、突条１４の高さを低くする、突条１４を周方向に断続的に設けるなどして、表部材１１と裏部材１２とを一体化した状態で前面パネル２０１に取り付けることもできる。
【００６１】
さらに、前面パネル２０１への着脱を容易にし、且つ、装着中は脱落し難くするために、例えば図２１に示したよう突条１４に代えて突起１４Ａを周方向に断続的に設けると共に、突起１４Ａの下側に空洞が形成できるよう筒状部２９の外周部周方向に凹み４１を断続的に設け、装着／脱着操作時には筒状部１３の突起１４Ａがある部分に筒状部２９の凹み４１を位置させて筒状部１３をボタン取付穴２０２に押し込んだときに、突起１４Ａが設けられている部分の筒状部１３が筒状部２９の凹み４１側に撓んで前面パネル２０１の開口端部が突起１４Ａを乗り越え易くし、前面パネル２０１の開口端部が突起１４Ａを乗り越えた後で筒状部２９を回転させて凹み４１がない部分の筒状部２９を突条１４の位置に移動させることで、筒状部１３、すなわち操作ボタン本体部１０がボタン取付穴２０２から抜け落ちないようにすることもできる。
【００６２】
また、円筒部１９に設ける一対のスリット２１は、図５（Ｂ）に示したように中間部の角度γを大きくし、両端部側の角度αとβとを中間部の角度γより小さくすることで、ピアノの鍵盤を押し込むときの感覚、すなわち最初は軽い力で押し込め、中間部ではそれよりは強い力を要し、最後はまた軽く動くようになるので、操作ボタン２０を操作したことが確実に分かるし、操作時の感覚も優れたものとなる。
【００６３】
【発明の効果】
以上説明したようにパネル部材のボタンを操作する側とは反対側に設置する基板の操作ボタンと対向しない部分に表示部を設けるようにした第１の発明のボタン装置においては、操作ボタンの大きさ・形状などとは無関係に表示部を大きくとることも可能である。そのため、製造上の自由度が大きく、それぞれに斬新なデザインを採用して、他のボタン装置との差別化を図ることが可能になる。
【００６４】
また、パネル部材に複数の操作ボタンを設け、パネル部材のボタンを操作する側とは反対側に複数の検出手段を備えた基板を設け、操作ボタンの操作を非接触状態で検出するようにした第２の発明のボタン装置においては、扉などのパネル部材に取り付ける部材には電力を供給する必要はなく、その内側に固定する基板だけに電力を供給すればよいので、ハーネスの処理が簡単に行える。
【００６５】
また、電気回路が組み込まれた基板は扉などのパネル部材と離して設置することができるので、電気回路がある基板まで雨水が到達することはなく、したがって故障し難い。また、パネル部材が壊されてもそこには樹脂成形された廉価な部材だけが装着されていて、電気回路が組み込まれた高価な基板はパネル部材とは離れて設置されているので、高価な部材は壊され難い。
【００６６】
また、操作ボタンの操作により操作ボタンの操作方向とは異なる方向に変位する被検出部材を備えるようにした第３の発明のボタン装置と、その被検出部材をパネル部材と基板との間に設けるようにした第４の発明のボタン装置では、前後方向の寸法の小さいボタン装置を作ることができる。
【図面の簡単な説明】
【図１】本発明のボタン装置と自動販売機の要部を示す説明図である。
【図２】操作ボタン本体部の分解説明図である。
【図３】本発明のボタン装置（待機状態）の説明図である。
【図４】本発明のボタン装置（操作時）の説明図である。
【図５】被検出部材（棒磁石）の回転機構説明図であり、（Ａ）はその基本機構を示す説明図、（Ｂ）はその変形実施形態を示す説明図である。
【図６】リードスイッチの動作説明図であり、（Ａ）は非導通時の説明図、（Ｂ）は導通時の説明図である。
【図７】自動販売機の外観を示した説明図である。
【図８】自動販売機の内部を示した説明図である。
【図９】リードスイッチの他の動作説明図であり、（Ａ）は非導通時の説明図、（Ｂ）は導通時の説明図である。
【図１０】リードスイッチの他の動作説明図であり、（Ａ）は非導通時の説明図、（Ｂ）は導通時の説明図である。
【図１１】リードスイッチの他の動作説明図であり、（Ａ）は非導通時の説明図、（Ｂ）は導通時の説明図である。
【図１２】受発光手段を用いた操作ボタンの操作検出機構説明図であり、（Ａ）は非操作時の説明図、（Ｂ）は操作時の説明図である。
【図１３】他の受発光手段を用いた操作ボタンの操作検出機構説明図であり、（Ａ）は非操作時の説明図、（Ｂ）は操作時の説明図である。
【図１４】補正回路の説明図である。
【図１５】商品情報表示部の説明図であり、（Ａ）は上から見た説明図、（Ｂ）はＣＯＬＤを表示するときの説明図、（Ｃ）はＨＯＴを表示するときの説明図である。
【図１６】商品情報表示部の他の説明図であり、（Ａ）は上から見た説明図、（Ｂ）はＣＯＬＤを表示するときの説明図、（Ｃ）はＨＯＴを表示するときの説明図、（Ｃ）はＣＯＬＤとＨＯＴを同時に表示するときの説明図である。
【図１７】一部を切り欠いたサンプル台の説明図である。
【図１８】不正防止回路の説明図である。
【図１９】変形実施形態の説明図であり、（Ａ）は待機状態の説明図、（Ｂ）は操作時の説明図である。
【図２０】他の変形実施形態の説明図であり、（Ａ）は正面から見た説明図、（Ｂ）は断面で示す説明図である。
【図２１】他の変形実施形態の説明図であり、（Ａ）は断面説明図、（Ｂ）は（Ａ）図におけるＸ−Ｘ断面説明図、（Ｃ）は（Ｂ）図で筒状部（２９）を回動したときの説明図である。
【図２２】従来技術の説明図である。
【符号の説明】
１０ 操作ボタン本体部
１１ 表部材
１２ 裏部材
１３ 筒状部
１４ 突条
１４Ａ 突起
１５ 突条
１６、１７ 張出部
１８ 穴
１８Ａ シール部材
１９ 円筒部
２０ 操作ボタン
２０ａ 操作面
２１ スリット
２２ 棒磁石
２３ 棒状可動部材
２４ 背面板
２５ 穴
２６ 突起
２７ ばね止め
２８ コイルスプリング
２８Ａ ゴム状弾性体
２９ 筒状部
３０ Ｌ字状磁性部材
３２ 磁気遮蔽部材
３３ 発光手段
３４ 受光手段
３５ 光路変更手段
３６ 反射面
３８ 磁気抵抗素子
３９ 直流増幅器
３９ マイクロコンピューター
４０ カバー部材
４１ 凹み
５０ 基板
５１ 板状部材
５２ リードスイッチ
５２Ａ、５２Ｂ リード線
５２Ｃ 接点部
５３ 価格表示部
５４ 商品情報表示部
５５ 透明部
５６ 開口
５７ 窓部材
５８ ギヤモータ
５９ 可動印刷部材
６０ 固定表示部材
６１ 円板
６２ スナップ
６３ クランク部材
６４ 長穴
６５ スナップ
７０ 第１のコイル
７１ 第２のコイル
７２ 吸収回路
７３ 発振回路
７４ バッファ回路
７５ 整流手段
６７ コンパレータ
１００ ボタン装置
２００ 自動販売機
２０１ 前面パネル
２０２ ボタン取付穴
２１０ 商品サンプル
２１１ サンプル台
２１２ ライト
２１３ 透明部
ＳＷ ドアスイッチ
【図１】
0004370724.tif 000002
【図２】
0004370724.tif 000003
【図３】
0004370724.tif 000004
【図４】
0004370724.tif 000005
【図５】
0004370724.tif 000006
【図６】
0004370724.tif 000007
【図７】
0004370724.tif 000008
【図８】
0004370724.tif 000009
【図９】
0004370724.tif 000010
【図１０】
0004370724.tif 000011
【図１１】
0004370724.tif 000012
【図１２】
0004370724.tif 000013
【図１３】
0004370724.tif 000014
【図１４】
0004370724.tif 000015
【図１５】
0004370724.tif 000016
【図１６】
0004370724.tif 000017
【図１７】
0004370724.tif 000018
【図１８】
0004370724.tif 000019
【図１９】
0004370724.tif 000020
【図２０】
0004370724.tif 000021
【図２１】
0004370724.tif 000022
【図２２】
0004370724.tif 000023